(57)【特許請求の範囲】
【請求項１】
無線受信した呼出番号が自己に割り当てられた呼出番号と一致した場合に、当該呼出番号に対応して無線受信したメッセージを記憶手段に格納するメッセージ受信機において、
前記記憶手段は複数のタイトル情報で分類した階層構造によってメッセージを記憶し、
受信したメッセージに付加されているタイトル情報に対応させて当該メッセージを前記記憶手段に格納する格納手段と、
タイトル情報と共に当該タイトル情報の直近下位階層に位置するタイトル情報の数を表示出力する表示手段と、
を備えたことを特徴とするメッセージ受信機。
【請求項２】
無線受信した呼出番号が自己に割り当てられた呼出番号と一致した場合に、当該呼出番号に対応して無線受信したメッセージを記憶手段に格納するメッセージ受信機において、
前記記憶手段は複数のタイトル情報で分類した階層構造によってメッセージを記憶し、
受信したメッセージに付加されているタイトル情報に対応させて当該メッセージを前記記憶手段に格納する格納手段と、
タイトル情報と共に当該タイトル情報の下位階層に位置する全てのタイトル情報の数を表示出力する表示手段と、
を備えたことを特徴とするメッセージ受信機。
【請求項３】
無線受信した呼出番号が自己に割り当てられた呼出番号と一致した場合に、当該呼出番号に対応して無線受信したメッセージを記憶手段に格納するメッセージ受信機において、
前記記憶手段は複数のタイトル情報で分類した階層構造によってメッセージを記憶し、
受信したメッセージに付加されているタイトル情報に対応させて当該メッセージを前記記憶手段に格納する格納手段と、
タイトル情報と共に当該タイトル情報の階層構造における階層位置を示す番号を表示出力する表示手段と、
を備えたことを特徴とするメッセージ受信機。
【請求項４】
無線受信した呼出番号が自己に割り当てられた呼出番号と一致した場合に、当該呼出番号に対応して無線受信したメッセージを記憶手段に格納するメッセージ受信機において、
前記記憶手段は複数のタイトル情報で分類した階層構造によってメッセージを記憶し、
受信したメッセージに付加されているタイトル情報に対応させて当該メッセージを前記記憶手段に格納する格納手段と、
タイトル情報と共に当該タイトル情報の直近下位階層のタイトル情報に分類されて前記記憶手段に格納されているメッセージの数を表示出力する表示手段と、
を備えたことを特徴とするメッセージ受信機。
【請求項５】
無線受信した呼出番号が自己に割り当てられた呼出番号と一致した場合に、当該呼出番号に対応して無線受信したメッセージを記憶手段に格納するメッセージ受信機において、
前記記憶手段は複数のタイトル情報で分類した階層構造によってメッセージを記憶し、
受信したメッセージに付加されているタイトル情報に対応させて当該メッセージを前記記憶手段に格納する格納手段と、
タイトル情報と共に当該タイトル情報の下位階層の全てのタイトル情報に分類されて前記記憶手段に格納されているメッセージの数を表示出力する表示手段と、
を備えたことを特徴とするメッセージ受信機。
【請求項６】
無線受信した呼出番号が自己に割り当てられた呼出番号と一致した場合に、当該呼出番号に対応して無線受信したメッセージを記憶手段に格納するメッセージ受信機において、
前記記憶手段は複数のタイトル情報で分類した階層構造によってメッセージを記憶し、
受信したメッセージに付加されているタイトル情報に対応させて当該メッセージを前記記憶手段に格納する格納手段と、
タイトル情報と共に当該タイトル情報の直近上位階層のタイトル情報に分類されて前記記憶手段に格納されているメッセージの数を表示出力する表示手段と、
を備えたことを特徴とするメッセージ受信機。
【請求項７】
無線受信した呼出番号が自己に割り当てられた呼出番号と一致した場合に、当該呼出番号に対応して無線受信したメッセージを記憶手段に格納するメッセージ受信機において、
前記記憶手段は複数のタイトル情報で分類した階層構造によってメッセージを記憶し、
受信したメッセージに付加されているタイトル情報に対応させて当該メッセージを前記記憶手段に格納する格納手段と、
タイトル情報と共に当該タイトル情報の上位階層の全てのタイトル情報に分類されて前記記憶手段に格納されているメッセージの数を表示出力する表示手段と、
を備えたことを特徴とするメッセージ受信機。
【請求項８】
請求項１乃至請求項７のいずれか１項に記載のメッセージ受信機において、
前記表示手段は、前記記憶手段において同一の階層に位置する複数のタイトル情報を同一の画面上に表示出力することを特徴とするメッセージ受信機。
【発明の詳細な説明】
【０００１】
【発明の属する技術分野】
本発明は、無線受信したメッセージを画面表示する機能を備えたページャ等のメッセージ受信機に関し、特に、受信メッセージを記憶手段にタイトル情報によって階層化して記憶し、その階層化に関する情報を画面表示する機能を備えたメッセージ受信機に関する。また、本発明は、特に、群呼出による共通情報メッセージの提供を行う無線選択呼出通信システムに適用して好適なメッセージ受信機に関する。
【０００２】
【従来の技術】
近年、メッセージ受信機としてページャを用いた無線選択呼出通信システムは、数字情報のみならず平仮名や漢字等の文字情報、更には、記号情報をも送信可能になり、単に個人宛てにメッセージを送るだけでなく、情報提供会社が提供するニュース、株価、天気等の各種情報を多数の利用者へ送信可能となっている。無線選択呼出通信システムにおいて、上記提供された天気情報等は共通の呼出番号（群呼出番号）宛てに無線送信され、この群呼出番号をもつ複数のページャが上記情報を受信して表示する情報提供サービスが行われている。
例えば、特公平５−３５９３３号公報には、このような情報提供サービスを行うために、２つの呼出番号のうちの１つを個別選択呼出サービスに使用し、他の１つを情報提供サービスに使用する発明が開示されている。
【０００３】
ここで、個別選択呼出サービスによる個人宛メッセージを受信するメッセージ受信機、情報提供サービスによる情報メッセージを受信するメッセージ受信機であるとに関わらず、受信メッセージを任意の時に確認できるようにするため、一般にメッセージ受信機は数多くの受信メッセージをメモリに記憶保持し、利用者が必要な時に必要な受信メッセージをメモリから読み出して表示画面に表示させることができるようになっている。個別選択呼出サービスによる個人宛メッセージを受信するメッセージ受信機においても言えることであるが、特に、情報提供サービスによる情報メッセージを受信するメッセージ受信機においては、情報メッセージは個人宛メッセージに比べて頻繁に受信されることから、数多くの受信メッセージを如何に記憶管理するかが、利用者がその受信メッセージを利用する上で重要となる。
【０００４】
このような受信メッセージの管理に関して、特開平８−１９０２７号公報には、利用者がキー操作によりメッセージメモリに記憶されている任意のメッセージを読み出して、フォーマット及びファイル名を任意に設定してフォーマットメッセージメモリに登録可能とし、これによって、利用者が受信メッセージを自由に分類して保存させることができるようにしてファイル管理を容易化し、また、受信メッセージを登録したフォーマットデータに基づいて自動的に分類して保存することができるメッセージデータ受信装置が開示されている。
また、特公昭６４−１９８５号公報には、受信したメッセージが何件記憶されているかを利用者に把握させるために、記憶された最新のメッセージを表示する時に記憶しているメッセージ数を表示する無線選択呼出受信機が開示されている。
【０００５】
【発明が解決しようとする課題】
近年、メッセージ受信機が記憶保持する受信メッセージ数が飛躍的に多くなったことから、例えば、個人宛メッセージであれば発信者や受信日時等、情報メッセージであればメッセージの分類名や概要等と言ったタイトル情報によって受信メッセージを分類し、更には、これらタイトル情報を幾層かに関係付けて階層化して、このようなタイトル情報で分類した階層構造によって受信メッセージをメモリに記憶管理するメッセージ受信機が開発されている。
【０００６】
しかしながら、タイトル情報に従って階層化して受信メッセージを記憶させた場合には、或るタイトル情報について、その階層位置が何処であるのか、その上位の階層や下位の階層に他のタイトル情報が存在するか否か、また、これら上位階層や下位階層に受信メッセージがどのぐらい在るのか等と言った階層に関する情報を利用者が把握していないと、単に受信メッセージの記憶構造が複雑化しただけで利用者にとって使い勝手が悪いものとなってしまうと言う問題があった。例えば、或るタイトル情報に分類されている受信メッセージをメモリから読み出して画面に表示させた時に、階層に関する情報を把握していない利用者は、各タイトル情報のファイルを闇雲に順次開けてメッセージを表示させるという煩雑な操作を繰り返し行わなければならない。
【０００７】
なお、特公昭６４−１９８５号公報に開示された発明を受信メッセージを階層構造で記憶管理するメッセージ受信機に適用したとしても、記憶された最新のメッセージを表示する時に記憶しているメッセージ数を表示するだけであるので、階層を違えたタイトル情報フォルダの存否やメッセージの有無等を利用者に把握させることはできず、所望の受信メッセージを表示出力するためには利用者に煩雑な操作を強いることとなって上記問題を解決することはできない。
【０００８】
本発明は上記従来の事情に鑑みなされたもので、受信メッセージを記憶管理している階層構造を利用者に容易に把握させ、所望のメッセージの検索を容易に行わせることができるメッセージ受信機を提供することを目的とする。
また、本発明は、受信メッセージ件数が比較的多くなる情報提供サービスに適用して好適なるメッセージ受信機を提供することを目的とする。
なお、本発明の更なる具体的な目的は、以下の説明において記載するところである。
【０００９】
【課題を解決するための手段】
本発明は、受信したメッセージをタイトル情報に基づいて自動的に分類して階層構造により記憶管理し、このタイトル情報と共に、階層構造に関する情報を表示出力して、受信したメッセージの記憶状況の把握を利用者が容易に行えるようにしている。
なお、本発明は群呼出により受信する情報メッセージを階層記憶する場合のみならず、個別呼出により受信する個人宛メッセージを何らかのタイトル情報で階層記憶する場合にも適用することができる。
【００１０】
すなわち、本発明に係るメッセージ受信機は、無線受信した呼出番号が自己に割り当てられた呼出番号と一致した場合に、当該呼出番号に対応して無線受信したメッセージを記憶手段に格納するメッセージ受信機であり、記憶手段は複数のタイトル情報で分類した階層構造によって受信メッセージを記憶する。すなわち、受信メッセージに付加されているタイトル情報に対応させて格納手段が当該メッセージを記憶手段に格納する。そして、利用者が受信メッセージを検索操作する場合等においては、表示手段がタイトル情報と共に当該タイトル情報に関わる階層構造の情報を表示出力し、利用者に階層構造の状況を把握させて、所望のタイトル情報や受信メッセージの検索を容易に行わせる。
【００１１】
具体的には、タイトル情報と共に表示される階層構造の情報として、表示したタイトル情報の下位階層に位置するタイトル情報が存在するか否かを示す存否情報、当該タイトル情報の下位階層に位置するタイトル情報、当該タイトル情報の上位階層に位置するタイトル情報が存在するか否かを示す存否情報、当該タイトル情報の上位階層に位置するタイトル情報、当該タイトル情報の直近下位階層に位置するタイトル情報の数、当該タイトル情報の下位階層に位置する全てのタイトル情報の数、当該タイトル情報の階層構造における階層位置、当該タイトル情報の直近下位階層のタイトル情報に分類されて記憶手段に格納されているメッセージの数、当該タイトル情報の下位階層の全てのタイトル情報に分類されて記憶手段に格納されているメッセージの数、当該タイトル情報の直近上位階層のタイトル情報に分類されて記憶手段に格納されているメッセージの数、当該タイトル情報の上位階層の全てのタイトル情報に分類されて記憶手段に格納されているメッセージの数を表示出力する。
【００１２】
したがって、利用者は表示したタイトル情報の上位や下位に他のタイトル情報でまとまられた受信メッセージがあるのか否かと言った階層に関する概要を把握することができ、操作に不慣れな利用者であっても所望のタイトル情報や受信メッセージを容易に探して表示出力させることができる。
なお、本発明では、同一の階層に複数のタイトル情報が存在する場合には、これら複数のタイトル情報を同一の画面上に表示出力するようにして、記憶構造の横方向での関わり合いも視覚的に把握し易くしている。
【００１３】
【発明の実施の形態】
本発明を、表示機能付のメッセージ受信機としてページャを用いた無線選択呼出通信システムにおいて、群呼出番号により受信する情報メッセージを階層構造で記憶管理する場合の一実施形態を用いて詳しく説明する。
本例の無線選択呼出通信システムは、図１に示すように、情報提供会社１、電話機２、電話網３、中央局４、基地局５Ａ、５Ｂ、・・・、５Ｎ、ページャ６Ａ、６Ｂ、・・・６Ｎで構成されている。
このシステム構成において、情報提供会社１が作成した情報メッセージまたは電話機２あるいは別の入力装置（図示せず、例えば携帯電話、パーソナルコンピュータ等）からの個別呼出のための個人宛メッセージが電話網３を介して中央局４に送信される。
【００１４】
中央局４は上記の情報メッセージや個人宛メッセージの送信相手の呼出番号及びメッセージ信号を無線通信システムに適したプロトコルに変換して複数の基地局５Ａ〜５Ｎへ送信する。なお、無線通信システムに適したプロトコルとしては、例えばＰＯＣＳＡＧ（Post Office Code Standardization Advisory Group）、ＮＴＴ方式、ＲＣＲ  ＳＴＤ−４２Ａに規定されているＦＬＥＸ−ＴＤ  ＲＡＤＩＯ  ＰＡＧＩＮＧ  ＳＹＳＴＥＭ（以下ＦＬＥＸ−ＴＤとする）等のプロトコルがあるが本発明は他の形式にも利用することができる。
【００１５】
基地局５Ａ〜５Ｎは上記のように変換されたデータを予め決められたデータ伝送速度（例えばＦＬＥＸ−ＴＤでは、１６００bps（ビット毎秒）、３２００bpsあるいは６４００bps）の無線信号で複数のページャ６Ａ〜６Ｎに送信する。ページャ６Ａ〜６Ｎは上記の無線信号を受信して、この無線信号中に自己に割り当てられた呼出番号と一致する信号を検出した時に、呼出報知及び受信したメッセージ内容の表示を行う。
【００１６】
次に、図２を用いて基地局５Ａ〜５Ｎから送信される無線信号のフレームフォーマットの一例を説明する。同図に示すように、送信フレームフォーマットは、同期部２０、ブロック情報（ＢＩ）２１、アドレスフィールド（ＡＦ）２２、ベクトルフィールド（ＶＦ）２３、メッセージフィールド（ＭＦ）２４で構成される。
【００１７】
同期部２０は、「１」と「０」とのパターンで構成され、ページャ６Ａ〜６Ｎに対して同期のタイミングを与える信号である。ブロック情報２１は、フレーム及びシステム構成の情報を含み、アドレスフィールド２２の起点、ベクトルフィールド２３の起点、トラフィックが次のフレームへ続くことを示す情報等からなるフィールドである。アドレスフィールド２２は、特定のページャを呼び出す個別呼出番号または情報提供会社１からの情報を共通して受信することができるページャを特定するための群呼出番号が１つ以上格納されるフィールドである。ベクトルフィールド２３は、上記の個別呼出番号或いは群呼出番号に対応する個人宛メッセージ或いは情報メッセージが次に続くメッセージフィールド２４のどの位置に格納されているかの情報、そのメッセージ内容の長さを示す情報、メッセージ内容が文字、メッセージ内容が英数字、メッセージ内容が１６進／２進であることを示す等のメッセージのタイプを示す情報等が格納されるフィールドである。メッセージフィールド２４は、個別呼出番号或いは群呼出番号に対応する個人宛メッセージ或いは情報メッセージがそのタイトル情報を伴って格納されるフィールドである。
【００１８】
図３は、本例のページャの一実施例を示すブロック図である。本例におけるページャ６Ａ〜６Ｎにおいて、６０は無線信号を受信するアンテナ、６１は基地局５Ａ〜５Ｎから送信された上記如きのフレームフォーマットの無線信号をアンテナ６０を介して受信する受信部、６２は受信した信号を復号するデコーダ部、６３は予め割り当てられた自己の個別呼出番号及び情報メッセージを受信するために割り当てられた群呼出番号を記憶するＩＤ−ＲＯＭ、６４は各機能部を制御するための各種プログラムが格納されているＲＯＭ、６５は受信したメッセージやタイトル情報を格納するためのＲＡＭ、６６は制御部７１からの入力信号に基づいてタイトル情報やメッセージ等を表示するＬＣＤ等のディスプレイ画面を有した表示部、６７は呼出があったことを光により報知するためのＬＥＤ、６８は呼出があったことを音により報知するためのスピーカ等の鳴音部、６９は呼出があったことを振動により報知するためのバイブレータ等の振動部、７０はタイトル情報やメッセージの読出しや呼出動作の停止等を利用者が行うための操作部である。
なお、表示部６６及び制御部７１で構成される表示手段については、後に詳細に説明する。
【００１９】
また、このページャには上記の各機能部６１〜７０を統括制御する制御部７１が備えられており、また、この制御部７１は、受信した信号の呼出番号とＩＤ−ＲＯＭ６３に記憶されている個別呼出番号あるいは群呼出番号との比較を行うＩＤ比較手段７２を有している。
なお、制御部７１を構成するプロセッサ（ＣＰＵやＭＰＵ等）がＲＯＭ６４に格納させているプログラムを実行することによりＩＤ比較手段７２を構成しており、図示は省略してあるが、同様にして他にも、受信した信号が自己の個別呼出番号や群呼出番号と一致した場合にメッセージを抽出する手段、受信した信号が自己の群呼出番号に一致した場合にタイトル情報を抽出する手段、タイトル情報に従って受信メッセージをＲＡＭ６５に階層構造で格納する手段、ＲＡＭ６５に格納されたタイトル情報や受信メッセージを検索する手段等の各種の機能手段が構成される。また、この制御部７１は、同様にして、後に詳細に説明するようにＲＡＭ６５に記憶されたタイトル情報、情報メッセージ、上位や下位の階層のタイトル情報、記憶された情報メッセージ数等の表示制御を行う手段も有している。
【００２０】
本例のページャは上記のような基本的な構成を有しており、これによって、受信した情報メッセージをそのタイトル情報毎に分類して階層構造によりＲＡＭ６５に格納するが、以下に説明する各実施例毎に制御部７１によって実現されるタイトル情報の表示機能（機能手段）が若干異なっている。
ここで、各実施例毎の具体的な表示処理を説明するに当たって、図４に示すような階層構造で情報メッセージが既にＲＡＭ６５に受信格納されているとする。すなわち、ＲＡＭ６５には最上位の階層として「スポーツ」と「ニュース」と言う２つのタイトル情報が設定され、更に、「スポーツ」にはその直近下位の階層として「野球」と「サッカー」と言う２つのタイトル情報が設定され、更に、「野球」にはその直近下位の階層として「セリーグ」と「パリーグ」と言う２つのタイトル情報が設定されており、これらタイトル情報に分類されて９個のメッセージが階層構造で格納されている。
【００２１】
例えば、「新リーグ発足決まる！！」と言うメッセージは第２階層の「野球」と言うタイトル情報に分類されて格納され、「横浜−ヤクルト  ３−２  五回表」と言うメッセージは第３階層の「セリーグ」と言うタイトル情報に分類されて格納され、「浦和−川崎  １−０  前半４０分」と言うメッセージは第２階層の「サッカー」と言うタイトル情報に分類されて格納され、「外貨市場１ドル＝１１８円」メッセージは第１階層の「ニュース」と言うタイトル情報に分類されて格納されている。
本例では、「サッカー」は第２階層まででその下位にはタイトルはなく、「ニュース」は第１階層まででその下位にはタイトルはない。また、階層構造としては下位にタイトル情報があったとしてもメッセージに付加されているタイトル情報に従って分類格納され、「新リーグ発足案決まる！！」と言うメッセージは付加されていたタイトル情報に従って第２階層の「野球」と言うタイトル情報に分類されて格納されている。
【００２２】
これら情報メッセージは次のようにして受信処理がなされることにより、ＲＡＭ６５にタイトル情報で分類されて格納される。まず、アンテナ６０及び受信部６１及びデーコーダ部６２でＩＤ−ＲＯＭ６３に記憶されている自己の群呼出番号が含まれるフレームを無線受信すると、受信したフレームのアドレスフィールド２２の呼出番号とＩＤ−ＲＯＭ６３に記憶されている群呼出番号との比較をＩＤ比較手段７２で行い、両者が一致した場合には、制御部７１が、メッセージフィールド２４からタイトル情報及び情報メッセージを抽出し、上記したようなＲＡＭ６５内のタイトル情報に対応付けて、抽出した情報メッセージをＲＡＭ６５に階層構造で格納する。なお、受信した情報メッセージを受信時に表示部６６に画面表示したり、或いは、情報メッセージの受信をＬＥＤ６７の発光、鳴音部６８の鳴動或いは振動部６９の振動により報知してもよい。
【００２３】
図５及び図６には本発明の第１実施例に係るページャの表示処理手順を示し、図７には表示部６６の画面表示の態様を示してある。
タイトル情報の読出表示を行うために、利用者が操作部７０の読出スイッチを操作すると（ステップＳ１）、制御部７１によってＲＡＭ６５に記憶されているメッセージ種類の第１階層のタイトル情報が読み出され（ステップＳ２）、同一な第１階層に位置する全てのタイトル情報が表示部６６の同一画面に表示される（ステップＳ３）。
【００２４】
そして、表示される第１階層のタイトル情報の下位に第２階層のタイトル情報が存在するか否かを制御部７１が判断し（ステップＳ４）、この第１階層のタイトル情報と共に、下位階層のタイトル情報がＲＡＭ６５に存在しない場合には、下位階層のタイトル情報が存在しないことを示す情報及び上位階層のタイトル情報が存在しないことを示す情報を表示部６６に画面表示させ（ステップＳ５）、下位階層のタイトル情報がＲＡＭ６５に存在する場合には、下位階層のタイトル情報が存在することを示す情報及び上位階層のタイトル情報が存在しないことを示す情報を表示部６６に画面表示させる（ステップＳ６）。
なお、処理手順を略記してあるが、このような下位階層のタイトル情報の存否判断や、上位や下位のタイトル情報の存否表示は表示された各タイトル情報毎に行われる。
【００２５】
具体的には、図７（Ａ）に示すように、表示部６６の画面に第１階層のタイトル情報「ニュース」及び「スポーツ」が表示されると共に、「ニュース」及び「スポーツ」に対してその左側に上位階層が存在しないことを示す情報マーク「−」が表示され、更に、「ニュース」に対してはその右側に下位階層が存在しないことを示す情報マーク「−」が表示され、「スポーツ」に対してはその右側に下位階層が存在することを示す情報マーク「＋」が表示される。すなわち、図４に示したように、「ニュース」及び「スポーツ」は第１階層であるので上位階層が存在しないことを示す「−」が表示され、「ニュース」は第１階層のみであるので下位階層が存在しないことを示す「−」が表示され、「スポーツ」は「野球」「サッカー」という下位階層が後続しているので下位階層が存在することを示す「＋」が表示される。
【００２６】
したがって、利用者はこの情報マークによって表示させたタイトル情報の上位や下位階層に他のタイトル情報が存在するか否かを容易に把握することができ、或るタイトル情報や情報メッセージを探す際に、関係の無いルートで階層構造をたどってしまうような無駄な操作を未然に防ぐことができる。
なお、このような存否情報は「＋」「−」以外の他のマークにより行うようにしてもよく、また、「有」「無」と言ったような文字で行ってもよく、要は、利用者に存否を知らせることができる態様であればよい。
【００２７】
そして、これら表示された存否情報を参照して、第２階層のタイトル情報を表示させるために、表示されている第１階層のタイトルを利用者が操作部７０の選択スイッチを操作することにより選択し（ステップＳ７）、更に、選択したタイトル情報に対して、利用者が操作部７０のセットスイッチを操作すると（ステップＳ８）、制御部７１によって当該タイトル情報に関係付けてＲＡＭ６５に記憶されている第２階層のタイトル情報が読み出され（ステップＳ９）、このタイトル情報が第１階層のタイトルに代わって表示部６６に画面表示される（ステップＳ１０）。
【００２８】
更に、表示される第２階層のタイトル情報の下位に第３階層のタイトル情報が存在するか否かを制御部７１が判断し（ステップＳ１１）、この第２階層のタイトル情報と共に、下位階層のタイトル情報がＲＡＭ６５に存在しない場合には、下位階層のタイトル情報が存在しないことを示す情報及び上位階層のタイトル情報が存在することを示す情報を表示部６６に画面表示させ（ステップＳ１２）、下位階層のタイトル情報がＲＡＭ６５に存在する場合には、下位階層のタイトル情報が存在することを示す情報及び上位階層のタイトル情報が存在することを示す情報を表示部６６に画面表示させる（ステップＳ１３）。
【００２９】
具体的には、図７（Ｂ）に示すように、選択された第１階層の「スポーツ」の直下に関係付けられている第２階層のタイトル情報「野球」及び「サッカー」が表示部６６の画面に表示されると共に、「野球」及び「サッカー」に対してその左側に上位階層が存在することを示す情報マーク「＋」が表示され、更に、「野球」に対してはその右側に下位階層が存在することを示す情報マーク「＋」が表示され、「サッカー」に対してはその右側に下位階層が存在しないことを示す情報マーク「−」が表示される。すなわち、図４に示したように、「野球」及び「サッカー」は「スポーツ」の直下の第２階層であるので上位階層が存在することを示す「＋」が表示され、「サッカー」は第２階層のみであるので下位階層が存在しないことを示す「−」が表示され、「野球」は「セリーグ」「パリーグ」という下位階層が後続しているので下位階層が存在することを示す「＋」が表示される。
【００３０】
そして、これら表示された存否情報を参照して、第３階層のタイトル情報を表示させるために、表示されている第２階層のタイトルを利用者が操作部７０の選択スイッチを操作することにより選択し（ステップＳ１４）、更に、選択したタイトル情報に対して、利用者が操作部７０のセットスイッチを操作すると（ステップＳ１５）、制御部７１によって当該タイトル情報に関係付けてＲＡＭ６５に記憶されている第３階層のタイトル情報が読み出され（ステップＳ１６）、このタイトル情報が第２階層のタイトルに代わって表示部６６に画面表示される（ステップＳ１７）。
【００３１】
本例では、階層構造は３層であるので、制御部７１がこの第３階層のタイトル情報と共に、下位階層のタイトル情報がＲＡＭ６５に存在しないことを示す情報及び上位階層のタイトル情報が存在することを示す情報を表示部６６に画面表示させる（ステップＳ１８）。
具体的には、図７（Ｃ）に示すように、選択された第２階層の「野球」の直下に関係付けられている第３階層のタイトル情報「セリーグ」及び「パリーグ」が表示部６６の画面に表示されると共に、「セリーグ」及び「パリーグ」に対してその左側に上位階層が存在することを示す情報マーク「＋」が表示され、更に、「セリーグ」及び「パリーグ」に対してその右側に下位階層が存在しないことを示す情報マーク「−」が表示される。すなわち、図４に示したように、「セリーグ」及び「パリーグ」は「野球」の直下の第３階層であるので上位階層が存在することを示す「＋」が表示され、「セリーグ」及び「パリーグ」は最下位の第３階層であるので下位階層が存在しないことを示す「−」が表示される。
【００３２】
更に、第３階層のタイトル情報に分類されて格納されている情報メッセージを表示させるために、表示されている第３階層のタイトルを利用者が操作部７０の選択スイッチを操作することにより選択し（ステップＳ１９）、更に、選択したタイトル情報に対して、利用者が操作部７０のセットスイッチを操作すると（ステップＳ２０）、制御部７１によって当該タイトル情報に関係付けてＲＡＭ６５に記憶されている情報メッセージが先頭から１つ読み出され（ステップＳ２１）、この情報メッセージが第３階層のタイトルに代わって表示部６６に画面に表示される（ステップＳ２２）。
【００３３】
そして、利用者が選択スイッチを更に操作したかを制御部７１が判断し（ステップＳ２３）、操作された場合には、制御部７１が当該タイトル情報に関係付けてＲＡＭ６５に記憶されている情報メッセージの内の次の情報メッセージを読み出し（ステップＳ２４）、この情報メッセージを先の情報メッセージに代えて表示部６６に画面表示する（ステップＳ２５）。そして、選択スイッチの操作が予め設定した所定時間行われない場合や、停止スイッチが操作された場合には、メッセージの表示動作を終了して、待ち受け状態へ移行してタイトル及びメッセージ表示処理を終了する（ステップＳ２６）。
【００３４】
なお、本例では、タイトル情報と共に上位階層及び下位階層の存否を示す情報の表示を行っているが、上位階層側の存否情報と下位階層側の存否情報とのいずれか一方を表示することにより、上位階層又は下位階層にタイトル情報が存在するか否かを表示しても、利用者に階層構造を容易に把握させることができる。
また、上記の説明では、存在と不存在とを明示する態様の存否情報としたが、存在する場合にのみマークなどを表示し存在しない場合には何らマークを表示しない、或いは、存在する場合には何らマークを表示せずに存在しない場合にマークを表示すると言ったように、存在と不存在とのいずれか一方を暗示する態様の存否情報としてもよく、利用者は同様な効果が得られる。
また、上記の説明では、第３階層についての情報メッセージを表示させる場合を例にとったが、第１階層のタイトル情報に対応付けて格納されている情報メッセージ（例えば「外貨市場１ドル＝１１８円」）や、第２階層のタイトル情報に対応付けて格納されている情報メッセージ（例えば「新リーグ発足案決まる！！」）についても同様に、利用者によるスイッチ操作によって画面表示させることができる。
【００３５】
図８及び図９には本発明の第２実施例に係るページャの表示処理手順を示し、図１０には表示部６６の画面表示の態様を示してある。
タイトル情報の読出表示を行うために、利用者が操作部７０の読出スイッチを操作すると（ステップＳ３１）、制御部７１によってＲＡＭ６５に記憶されているメッセージ種類の第１階層のタイトル情報が読み出され（ステップＳ３２）、この第１階層に位置するタイトル情報の内の１つが表示部６６に画面に表示される（ステップＳ３３）。
【００３６】
そして、表示される第１階層のタイトル情報の下位に第２階層のタイトル情報が存在するか否かを制御部７１が判断し（ステップＳ３４）、下位階層のタイトル情報がＲＡＭ６５に存在しない場合には、この第１階層のタイトル情報のみを表示する。一方、下位階層のタイトル情報がＲＡＭ６５に存在する場合には、制御部７１によって当該タイトル情報に関係付けてＲＡＭ６５に記憶されている第２階層のタイトル情報が全て読み出され（ステップＳ３５）、これらタイトル情報が第１階層のタイトル情報と共に表示部６６の同一画面に表示される（ステップＳ３６）。
なお、処理手順を略記してあるが、このような下位階層のタイトル情報の存否判断や、下位のタイトル情報の表示は表示された各タイトル情報毎に行われる。
【００３７】
具体的には、図１０（Ａ）に示すように、表示部６６の画面に第１階層のタイトル情報「スポーツ」が表示されると共に、「スポーツ」に関係付けられている第２階層の全てのタイトル情報「野球」「サッカー」が表示されて、「スポーツ」の下位に「野球」や「サッカー」に関する情報メッセージが存在するすることを利用者が容易に把握できるようになっており、利用者が或るタイトル情報や情報メッセージを探す際に、関係の無いルートで階層構造をたどってしまうような無駄な操作を未然に防ぐことができる。
なお、上記のように第１階層のタイトル情報は１つずつ表示されるが、利用者がスイッチ操作することにより、制御部７１が第１階層のタイトル情報「スポーツ」を同じ第１階層のタイトル情報「ニュース」に切り替え表示し、当該「ニュース」についても下位階層のタイトル情報表示が同様にして行われる。また、本例では起点となる第１階層のタイトル情報は１つずつ表示するようにしているが、この第１階層のタイトル情報を同一画面に複数個表示して、利用者のスイッチ操作により選択させるようにしてもよい。
【００３８】
そして、これら表示された第２階層のタイトル情報について、その下位の第３階層のタイトル情報を表示させるために、利用者が操作部７０の選択スイッチを操作することにより、表示されている第２階層のタイトル情報の１つを選択し（ステップＳ３７）、更に、選択したタイトル情報に対して、利用者が操作部７０のセットスイッチを操作すると（ステップＳ３８）、この第２階層のタイトル情報の下位に第３階層のタイトル情報が存在するか否かを制御部７１が判断し（ステップＳ３９）、下位階層のタイトル情報がＲＡＭ６５に存在しない場合には、この第２階層のタイトル情報のみを表示する。一方、下位階層のタイトル情報がＲＡＭ６５に存在する場合には、制御部７１によって当該タイトル情報に関係付けてＲＡＭ６５に記憶されている第３階層のタイトル情報が全て読み出され（ステップＳ４０）、これらタイトル情報が第２階層のタイトル情報と共に表示部６６の同一画面に表示される（ステップＳ４１）。
【００３９】
具体的には、図１０（Ｂ）に示すように、選択された第２階層の「野球」の直下に関係付けられている第３階層のタイトル情報「セリーグ」及び「パリーグ」が表示部６６の同一画面に表示されて、「野球」の下位に「セリーグ」や「パリーグ」に関する情報メッセージが存在するすることを利用者が容易に把握できるようになっており、利用者が或るタイトル情報や情報メッセージを探す際に、タイトル情報を確認しながら操作することができるため、関係の無いルートで階層構造をたどってしまうような無駄な操作を未然に防ぐことができる。
【００４０】
更に、第３階層のタイトル情報に分類されて格納されている情報メッセージを表示させるために、表示されている第３階層のタイトルを利用者が操作部７０の選択スイッチを操作することにより選択し（ステップＳ４２）、更に、選択したタイトル情報に対して、利用者が操作部７０のセットスイッチを操作すると（ステップＳ４３）、制御部７１によって当該タイトル情報に関係付けてＲＡＭ６５に記憶されている情報メッセージが先頭から１つ読み出され（ステップＳ４４）、この情報メッセージがタイトル情報に代わって表示部６６に画面表示される（ステップＳ４５）。
【００４１】
そして、利用者が選択スイッチを更に操作したかを制御部７１が判断し（ステップＳ４６）、操作された場合には、制御部７１が当該タイトル情報に関係付けてＲＡＭ６５に記憶されている情報メッセージの内の次の情報メッセージを読み出し（ステップＳ４７）、この情報メッセージを先の情報メッセージに代えて表示部６６に画面表示する（ステップＳ４８）。そして、選択スイッチの操作が予め設定した所定時間行われない場合や、停止スイッチが操作された場合には、メッセージの表示動作を終了して、待ち受け状態へ移行してタイトル及びメッセージ表示処理を終了する（ステップＳ４９）。
【００４２】
なお、本例では、第２階層や第３階層の下位のタイトル情報が複数ある場合にはこれらを全て表示するようにしているが、下位のタイトル情報を１つずつ表示して利用者のスイッチ操作により順次切り替え表示するようにしてもよい。
また、上記の説明では、或るタイトル情報に対して下位に位置するタイトル情報を表示する場合を例にとったが、プログラムを変更することにより制御部７１の処理によって、上位側のタイトル情報を表示したり、或いは、下位側と上位側とのタイトル情報を両方表示することもでき、このように上位側のタイトル情報を表示することによっても、利用者に階層構造を容易に把握させ、タイトル情報を確認しながらの操作を行わせることができる。
また、上記の説明では、第３階層についての情報メッセージを表示させる場合を例にとったが、第１階層のタイトル情報に対応付けて格納されている情報メッセージや、第２階層のタイトル情報に対応付けて格納されている情報メッセージについても同様に、利用者によるスイッチ操作によって画面表示させることができる。
【００４３】
図１１及び図１２には本発明の第３実施例に係るページャの表示処理手順を示し、図１３には表示部６６の画面表示の態様を示してある。
タイトル情報の読出表示を行うために、利用者が操作部７０の読出スイッチを操作すると（ステップＳ５１）、制御部７１によってＲＡＭ６５に記憶されているメッセージ種類の第１階層のタイトル情報が全て読み出され（ステップＳ５２）、これら全てのタイトル情報が表示部６６の同一画面に表示される（ステップＳ５３）。
【００４４】
そして、表示される第１階層のタイトル情報の下位に第２階層のタイトル情報が存在するか否かを制御部７１が判断し（ステップＳ５４）、下位階層のタイトル情報がＲＡＭ６５に存在しない場合には、下位階層に格納されたメッセージがない旨を表示する（ステップＳ５５）。一方、下位階層のタイトル情報がＲＡＭ６５に存在する場合には、これら第２階層のタイトル情報に分類されて格納されている情報メッセージの件数を制御部７１が検索し（ステップＳ５６）、表示している第１タイトル情報に付記して表示部６６に画面表示する（ステップＳ５７）。
なお、処理手順を略記してあるが、このような下位階層のタイトル情報の存否判断や、格納メッセージ数の計数や、その表示は表示された各タイトル情報毎に行われる。
【００４５】
具体的には、図１３（Ａ）に示すように、表示部６６の画面に第１階層のタイトル情報「スポーツ」及び「ニュース」が表示されると共に、「ニュース」及び「スポーツ」に対してその右側に直近の第２階層のタイトルに分類されて格納されているメッセージ件数が表示されて、第１階層の下位の階層にも情報メッセージが存在するすることを利用者が容易に把握できるようになっており、利用者が或るタイトル情報や情報メッセージを探す際に、関係の無いルートで階層構造をたどってしまうような無駄な操作を未然に防ぐことができる。
【００４６】
なお、図４に示したように、「スポーツ」の直近下位階層のタイトル情報「野球」「サッカー」に分類されている情報メッセージは３件あるので、タイトル情報「スポーツ」にはこの件数「３」が付記して表示され、「ニュース」には下位階層のタイトル情報がないので、タイトル情報「ニュース」には格納メッセージが無い旨の「０」が付記して表示される。ここで、このように格納メッセージが無い旨を「０」や「無」と言った表示で明示する代わりに、第１タイトル情報のみを表示する（すなわち、メッセージがある場合だけ表示して、無い場合には何ら件数に関する表示を行わない）ことにより暗示的に件数の不存在を表示するようにしてもよい。
【００４７】
そして、これら表示された下位階層の情報メッセージ数を参照して、第２階層のタイトル情報を表示させるために、表示されている第１階層のタイトルを利用者が操作部７０の選択スイッチを操作することにより選択し（ステップＳ５８）、更に、選択したタイトル情報に対して、利用者が操作部７０のセットスイッチを操作すると（ステップＳ５９）、制御部７１によって当該タイトル情報に関係付けてＲＡＭ６５に記憶されている第２階層のタイトル情報が読み出され（ステップＳ６０）、このタイトル情報が第１階層のタイトルに代わって表示部６６に画面表示される（ステップＳ６１）。
【００４８】
更に、表示される第２階層のタイトル情報の下位に第３階層のタイトル情報が存在するか否かを制御部７１が判断し（ステップＳ６２）、下位階層のタイトル情報がＲＡＭ６５に存在しない場合には、下位階層に格納されたメッセージがない旨を表示する（ステップＳ６３）。一方、下位階層のタイトル情報がＲＡＭ６５に存在する場合には、これら第３階層のタイトル情報に分類されて格納されている情報メッセージの件数を制御部７１が検索し（ステップＳ６４）、表示している第２タイトル情報に付記して表示部６６に画面表示する（ステップＳ６５）。
【００４９】
具体的には、図１３（Ｂ）に示すように、第１階層のタイトル情報「スポーツ」の下位に位置する第２階層のタイトル情報「野球」「サッカー」が表示部６６の画面に表示されると共に、「野球」及び「サッカー」に対してその右側に直近の第３階層のタイトルに分類されて格納されているメッセージ件数が表示されて、第２階層の下位の階層にも情報メッセージが存在することを利用者が容易に把握できるようになっており、利用者が或るタイトル情報や情報メッセージを探す際に、関係の無いルートで階層構造をたどってしまうような無駄な操作を未然に防ぐことができる。
なお、図４に示したように、「野球」の直近下位階層のタイトル情報「セリーグ」「パリーグ」に分類されている情報メッセージは合計４件あるので、タイトル情報「野球」にはこの件数「４」が付記して表示され、「サッカー」には下位階層のタイトル情報がないので、タイトル情報「サッカー」には格納メッセージが無い旨の「０」が付記して表示される。
【００５０】
そして、これら表示された下位階層の情報メッセージ数を参照して、第３階層のタイトル情報を表示させるために、表示されている第２階層のタイトルを利用者が操作部７０の選択スイッチを操作することにより選択し（ステップＳ６６）、更に、選択したタイトル情報に対して、利用者が操作部７０のセットスイッチを操作すると（ステップＳ６７）、制御部７１によって当該タイトル情報に関係付けてＲＡＭ６５に記憶されている第３階層のタイトル情報が読み出され（ステップＳ６８）、このタイトル情報が第２階層のタイトルに代わって表示部６６に画面表示される（ステップＳ６９）。
【００５１】
具体的には、図１３（Ｃ）に示すように、選択された第２階層の「野球」の直下に関係付けられている第３階層のタイトル情報「セリーグ」及び「パリーグ」が表示部６６の画面に表示され、本例では３層構造となっているので、これらタイトル情報には下位階層の格納メッセージに関する表示がなされず、これによって、利用者に対して当該表示タイトルには下位階層がないことが表示される。
【００５２】
更に、第３階層のタイトル情報に分類されて格納されている情報メッセージを表示させるために、表示されている第３階層のタイトルを利用者が操作部７０の選択スイッチを操作することにより選択し（ステップＳ７０）、更に、選択したタイトル情報に対して、利用者が操作部７０のセットスイッチを操作すると（ステップＳ７１）、制御部７１によって当該タイトル情報に関係付けてＲＡＭ６５に記憶されている情報メッセージが先頭から１つ読み出され（ステップＳ７２）、この情報メッセージが第３階層のタイトルに代わって表示部６６に画面に表示される（ステップＳ７３）。
【００５３】
そして、利用者が選択スイッチを更に操作したかを制御部７１が判断し（ステップＳ７４）、操作された場合には、制御部７１が当該タイトル情報に関係付けてＲＡＭ６５に記憶されている情報メッセージの内の次の情報メッセージを読み出し（ステップＳ７５）、この情報メッセージを先の情報メッセージに代えて表示部６６に画面表示する（ステップＳ７６）。そして、選択スイッチの操作が予め設定した所定時間行われない場合や、停止スイッチが操作された場合には、メッセージの表示動作を終了して、待ち受け状態へ移行してタイトル及びメッセージ表示処理を終了する（ステップＳ７７）。
【００５４】
なお、本例では、表示したタイトル情報の直近下位のタイトル情報（すなわち、関係付けられている１つ下のタイトル情報）に分類されている情報メッセージ数を表示するようにしているが、プログラムを変更して制御部７１による計数処理を変更することにより、表示したタイトル情報に関係付けられた全ての下位タイトル情報（例えば、「スポーツ」に対して「野球」「サッカー」「セリーグ」「パリーグ」）の格納メッセージ件数を表示するようにしてもよく、これによっても、利用者に下位の階層にも情報メッセージが存在することを容易に把握させることができる。
【００５５】
また、同様にして、表示したタイトル情報の直近上位のタイトル情報や上位に関係付けられた全てのタイトル情報の格納メッセージ件数を表示するようにしてもよく、これによって、利用者に上位の階層にも情報メッセージが存在することを容易に把握させて、所望のタイトル情報やメッセージの検索に有用な情報を提供することができる。
また、上記の説明では、第３階層についての情報メッセージを表示させる場合を例にとったが、第１階層のタイトル情報に対応付けて格納されている情報メッセージや、第２階層のタイトル情報に対応付けて格納されている情報メッセージについても同様に、利用者によるスイッチ操作によって画面表示させることができる。
【００５６】
図１４及び図１５には本発明の第４実施例に係るページャの表示処理手順を示し、図１６には表示部６６の画面表示の態様を示してある。
タイトル情報の読出表示を行うために、利用者が操作部７０の読出スイッチを操作すると（ステップＳ８１）、制御部７１によってＲＡＭ６５に記憶されている第１階層のタイトル情報が全て読み出され（ステップＳ８２）、これら全てのタイトル情報がその階層位置を示す情報と共に表示部６６の同一画面に表示される（ステップＳ８３、Ｓ８４）。
具体的には、図１６（Ａ）に示すように、第１階層のタイトル情報「スポーツ」「ニュース」と共に、第１階層を示す番号「１」が表示部６６の画面に表示され、表示したタイトル情報が第１階層のものであることが利用者に容易に把握できるようになっており、利用者に現在表示中のタイトル情報の階層位置を知らしめることにより階層構造を把握させて、或るタイトル情報や情報メッセージを探す際の有用な情報を提供することができる。
【００５７】
そして、この表示された階層番号を参照して、下位の第２階層のタイトル情報を表示させるために、表示されている第１階層のタイトルの１つを利用者が操作部７０の選択スイッチを操作することにより選択し（ステップＳ８５）、更に、選択したタイトル情報に対して、利用者が操作部７０のセットスイッチを操作すると（ステップＳ８６）、制御部７１が当該タイトル情報に関係付けられている第２階層のタイトル情報がＲＡＭ６５内に存在するかを判断し（ステップＳ８７）、存在しない場合には、例えば「タイトル無し」と言ったような該当する第２階層が存在しない旨を第１階層のタイトル情報に代えて表示部６６に画面表示する（ステップＳ８８）。
なお、処理手順を略記してあるが、このような下位階層のタイトル情報の存否判断や、その階層位置の表示は表示された各タイトル情報毎に行われる。
【００５８】
一方、該当する第２階層のタイトル情報が存在する場合には、制御部７１によって当該第２階層のタイトル情報が全て読み出され（ステップＳ８９）、これら全てのタイトル情報がその階層位置を示す情報と共に表示部６６の同一画面に表示される（ステップＳ９０、Ｓ９１）。
具体的には、図１６（Ｂ）に示すように、第１階層のタイトル情報「スポーツ」が選択セットされると、該当する第２階層のタイトル情報「野球」「サッカー」と共に、第２階層であることを示す番号「２」が表示部６６の画面に表示され、表示したタイトル情報が第２階層のものであることが利用者に容易に把握できるようになっている。
【００５９】
そして、この表示された階層番号を参照して、下位の第３階層のタイトル情報を表示させるために、表示されている第２階層のタイトルの１つを利用者が操作部７０の選択スイッチを操作することにより選択し（ステップＳ９２）、更に、選択したタイトル情報に対して、利用者が操作部７０のセットスイッチを操作すると（ステップＳ９３）、制御部７１が当該タイトル情報に関係付けられている第３階層のタイトル情報がＲＡＭ６５内に存在するかを判断し（ステップＳ９４）、存在しない場合には、例えば「タイトル無し」と言ったような該当する第３階層が存在しない旨を第２階層のタイトル情報に代えて表示部６６に画面表示する（ステップＳ９５）。
【００６０】
一方、該当する第３階層のタイトル情報が存在する場合には、制御部７１によって当該第３階層のタイトル情報が全て読み出され（ステップＳ９６）、これら全てのタイトル情報がその階層位置を示す情報と共に表示部６６の同一画面に表示される（ステップＳ９７、Ｓ９８）。
具体的には、図１６（Ｃ）に示すように、第２階層のタイトル情報「野球」が選択セットされると、該当する第３階層のタイトル情報「セリーグ」「パリーグ」と共に、第３階層であることを示す番号「３」が表示部６６の画面に表示され、表示したタイトル情報が第３階層のものであることが利用者に容易に把握できるようになっている。
【００６１】
更に、第３階層のタイトル情報に分類されて格納されている情報メッセージを表示させるために、表示されている第３階層のタイトルの１つを利用者が操作部７０の選択スイッチを操作することにより選択し（ステップＳ９９）、更に、選択したタイトル情報に対して、利用者が操作部７０のセットスイッチを操作すると（ステップＳ１００）、制御部７１によって当該タイトル情報に関係付けてＲＡＭ６５に記憶されている情報メッセージが先頭から１つ読み出され（ステップＳ１０１）、この情報メッセージが第３階層のタイトルに代わって表示部６６に画面に表示される（ステップＳ１０２）。
【００６２】
そして、利用者が選択スイッチを更に操作したかを制御部７１が判断し（ステップＳ１０３）、操作された場合には、制御部７１が当該タイトル情報に関係付けてＲＡＭ６５に記憶されている情報メッセージの内の次の情報メッセージを読み出し（ステップＳ１０４）、この情報メッセージを先の情報メッセージに代えて表示部６６に画面表示する（ステップＳ１０５）。そして、選択スイッチの操作が予め設定した所定時間行われない場合や、停止スイッチが操作された場合には、メッセージの表示動作を終了して、待ち受け状態へ移行してタイトル及びメッセージ表示処理を終了する（ステップＳ１０６）。
なお、上記の説明では、第３階層についての情報メッセージを表示させる場合を例にとったが、第１階層のタイトル情報に対応付けて格納されている情報メッセージや、第２階層のタイトル情報に対応付けて格納されている情報メッセージについても同様に、利用者によるスイッチ操作によって画面表示させることができる。
【００６３】
図１７及び図１８には本発明の第５実施例に係るページャの表示処理手順を示し、図１９には表示部６６の画面表示の態様を示してある。
タイトル情報の読出表示を行うために、利用者が操作部７０の読出スイッチを操作すると（ステップＳ１１１）、制御部７１によってＲＡＭ６５に記憶されている第１階層のタイトル情報が全て読み出され（ステップＳ１１２）、これら全てのタイトル情報が表示部６６の同一画面に表示される（ステップＳ１１３）。
【００６４】
そして、表示される各第１階層のタイトル情報の下位に第２階層のタイトル情報が存在するか否かを制御部７１が判断し（ステップＳ１１４）、下位階層のタイトル情報がＲＡＭ６５に存在しない場合には、それぞれのタイトル情報の下位階層にタイトル情報が存在しない旨を表示する（ステップＳ１１５）。一方、下位階層のタイトル情報がＲＡＭ６５に存在する場合には、これら第２階層のタイトル情報の数を制御部７１が検索し（ステップＳ１１６）、表示している第１タイトル情報に付記して表示部６６に画面表示する（ステップＳ１１７）。
なお、処理手順を略記してあるが、このような下位階層のタイトル情報の存否判断や、その件数の表示は表示された各タイトル情報毎に行われる。
【００６５】
具体的には、図１９（Ａ）に示すように、表示部６６の画面に第１階層のタイトル情報「スポーツ」及び「ニュース」が表示されると共に、「スポーツ」及び「ニュース」に対してその右側に直近の第２階層のタイトル情報数が表示されて、それぞれのタイトル情報の下位のにどのぐらいのタイトル情報があるのかを利用者が容易に把握できるようになっており、利用者が或るタイトル情報や情報メッセージを探す際に有用な情報を提供することができる。
なお、図４に示したように、「スポーツ」の直近下位階層にはタイトル情報「野球」「サッカー」が存在しているので、タイトル情報「スポーツ」にはこの件数「２」が付記して表示され、「ニュース」には下位階層のタイトル情報がないので、タイトル情報「ニュース」には下位階層が無い旨の「０」が付記して表示される。
【００６６】
そして、これら表示された下位階層の情報メッセージ数を参照して、第２階層のタイトル情報を表示させるために、表示されている第１階層のタイトルの１つを利用者が操作部７０の選択スイッチを操作することにより選択し（ステップＳ１１８）、更に、選択したタイトル情報に対して、利用者が操作部７０のセットスイッチを操作すると（ステップＳ１１９）、制御部７１によって当該タイトル情報に関係付けてＲＡＭ６５に記憶されている第２階層のタイトル情報が読み出され（ステップＳ１２０）、このタイトル情報が第１階層のタイトルに代わって表示部６６に画面表示される（ステップＳ１２１）。
【００６７】
更に、表示される第２階層のタイトル情報の下位に第３階層のタイトル情報が存在するか否かを制御部７１が判断し（ステップＳ１２２）、下位階層のタイトル情報がＲＡＭ６５に存在しない場合には、下位階層がない旨を表示する（ステップＳ１２３）。一方、下位階層のタイトル情報がＲＡＭ６５に存在する場合には、これら第３階層のタイトル情報数を制御部７１が検索し（ステップＳ１２４）、表示している第２タイトル情報に付記して表示部６６に画面表示する（ステップＳ１２５）。
【００６８】
具体的には、図１９（Ｂ）に示すように、第１階層のタイトル情報「スポーツ」の下位に位置する第２階層のタイトル情報「野球」「サッカー」が表示部６６の画面に表示されると共に、「野球」及び「サッカー」に対してその右側に直近の第３階層のタイトル情報件数が表示されて、第２階層の下位の階層にもタイトル情報が存在することを利用者が容易に把握できるようになっている。
なお、図４に示したように、「野球」には直近下位階層のタイトル情報「セリーグ」「パリーグ」が存在するので、タイトル情報「野球」にはこの件数「２」が付記して表示され、「サッカー」には下位階層のタイトル情報がないので、タイトル情報「サッカー」には無い旨の「０」が付記して表示される。
【００６９】
そして、これら表示された下位階層の情報メッセージ数を参照して、第３階層のタイトル情報を表示させるために、表示されている第２階層のタイトルの１つを利用者が操作部７０の選択スイッチを操作することにより選択し（ステップＳ１２６）、更に、選択したタイトル情報に対して、利用者が操作部７０のセットスイッチを操作すると（ステップＳ１２７）、制御部７１によって当該タイトル情報に関係付けてＲＡＭ６５に記憶されている第３階層のタイトル情報が読み出され（ステップＳ１２８）、このタイトル情報が第２階層のタイトルに代わって表示部６６に画面表示される（ステップＳ１２９）。
【００７０】
具体的には、図１９（Ｃ）に示すように、選択された第２階層の「野球」の直下に関係付けられている第３階層のタイトル情報「セリーグ」及び「パリーグ」が表示部６６の画面に表示され、本例では３層構造となっているので、これらタイトル情報には下位階層のタイトル情報に関する表示がなされず、これによって、利用者に対して当該表示タイトルには下位階層がないことが表示される。
【００７１】
更に、第３階層のタイトル情報に分類されて格納されている情報メッセージを表示させるために、表示されている第３階層のタイトルを利用者が操作部７０の選択スイッチを操作することにより選択し（ステップＳ１３０）、更に、選択したタイトル情報に対して、利用者が操作部７０のセットスイッチを操作すると（ステップＳ１３１）、制御部７１によって当該タイトル情報に関係付けてＲＡＭ６５に記憶されている情報メッセージが先頭から１つ読み出され（ステップＳ１３２）、この情報メッセージが第３階層のタイトルに代わって表示部６６に画面に表示される（ステップＳ１３３）。
【００７２】
そして、利用者が選択スイッチを更に操作したかを制御部７１が判断し（ステップＳ１３４）、操作された場合には、制御部７１が当該タイトル情報に関係付けてＲＡＭ６５に記憶されている情報メッセージの内の次の情報メッセージを読み出し（ステップＳ１３５）、この情報メッセージを先の情報メッセージに代えて表示部６６に画面表示する（ステップＳ１３６）。そして、選択スイッチの操作が予め設定した所定時間行われない場合や、停止スイッチが操作された場合には、メッセージの表示動作を終了して、待ち受け状態へ移行してタイトル及びメッセージ表示処理を終了する（ステップＳ１３７）。
【００７３】
なお、本例では、表示したタイトル情報の直近下位のタイトル情報の数を表示するようにしているが、プログラムを変更して制御部７１による計数処理を変更することにより、表示したタイトル情報に関係付けられた全ての下位タイトル情報（例えば、「スポーツ」に対して「野球」「サッカー」「セリーグ」「パリーグ」）の件数を表示するようにしてもよく、これによっても、利用者に下位の階層にもタイトル情報が存在することを容易に把握させることができる。
【００７４】
また、同様にして、表示したタイトル情報の直近上位のタイトル情報や上位に関係付けられた全てのタイトル情報の格納メッセージ件数を表示するようにしてもよく、これによって、利用者に上位の階層にもタイトル情報が存在することを容易に把握させて、所望のタイトル情報やメッセージの検索に有用な情報を提供することができる。
また、上記の説明では、第３階層についての情報メッセージを表示させる場合を例にとったが、第１階層のタイトル情報に対応付けて格納されている情報メッセージや、第２階層のタイトル情報に対応付けて格納されている情報メッセージについても同様に、利用者によるスイッチ操作によって画面表示させることができる。
【００７５】
なお、上記した各実施例では、タイトル情報を表示するに際して、上位や下位階層のタイトルタイトル情報の有無や、件数、格納メッセージ数等を計数して表示するようにしたが、図２０に示すようにタイトル情報を管理するテーブルを予めＲＡＭ６５に格納しておき、例えば、タイトル情報及びメッセージを受信した際にこのタイトル情報管理テーブルを更新して、或いは、定期的にタイトル情報管理テーブルを更新して、タイトル情報に関する表示の際にこの管理テーブルから情報を読出して表示するようにすれば、表示処理を迅速化することができる。
また、上記の実施例では、本発明をページャに適用した例を示したが、本発明はページャに限らず、情報を受信する機能を持つ、例えば、ラジオ受信機、携帯電話機等といった種々な形態で実施することもできる。
【００７６】
【発明の効果】
以上説明したように、受信メッセージをタイトル情報に従って階層化して記憶管理するメッセージ受信機において、タイトル情報と共に階層に関する情報を表示するようにしたため、受信メッセージを記憶管理している階層構造を利用者に一目にして容易に把握させ、所望のメッセージの検索表示を容易に行わせることができる。
【図面の簡単な説明】
【図１】  本発明の一実施形態に係る選択呼出通信システムの構成を示す図である。
【図２】  本発明の一実施形態に係る送出フレームの構成を説明する図である。
【図３】  本発明の一実施形態に係るページャの構成を示す図である。
【図４】  本発明の一実施形態に係る階層構造で記憶された情報メッセージの一例を示す図である。
【図５】  本発明の第１実施例に係る表示処理手順を示すフローチャートである。
【図６】  本発明の第１実施例に係る表示処理手順を示すフローチャートである。
【図７】  本発明の第１実施例に係る画面表示の態様を示す図である。
【図８】  本発明の第２実施例に係る表示処理手順を示すフローチャートである。
【図９】  本発明の第２実施例に係る表示処理手順を示すフローチャートである。
【図１０】  本発明の第２実施例に係る画面表示の態様を示す図である。
【図１１】  本発明の第３実施例に係る表示処理手順を示すフローチャートである。
【図１２】  本発明の第３実施例に係る表示処理手順を示すフローチャートである。
【図１３】  本発明の第３実施例に係る画面表示の態様を示す図である。
【図１４】  本発明の第４実施例に係る表示処理手順を示すフローチャートである。
【図１５】  本発明の第４実施例に係る表示処理手順を示すフローチャートである。
【図１６】  本発明の第４実施例に係る画面表示の態様を示す図である。
【図１７】  本発明の第５実施例に係る表示処理手順を示すフローチャートである。
【図１８】  本発明の第５実施例に係る表示処理手順を示すフローチャートである。
【図１９】  本発明の第５実施例に係る画面表示の態様を示す図である。
【図２０】  本発明に係るタイトル情報管理テーブルの一例を示す図である。
【符号の説明】
１・・・情報提供会社、  ４・・・中央局、  ５Ａ〜５Ｎ・・・基地局、
６Ａ〜６Ｎ・・・ページャ、  ２２・・・アドレスフィールド、
２４・・・メッセージフィールド、  ６１・・・受信部、
６３・・・ＩＤ−ＲＯＭ、  ６５・・・ＲＡＭ、  ６６・・・表示部、
７０・・・操作部、  ７１・・・制御部、  ７２・・・ＩＤ比較手段、
【図１】
0003703317.tif 000002
【図２】
0003703317.tif 000003
【図３】
0003703317.tif 000004
【図４】
0003703317.tif 000005
【図５】
0003703317.tif 000006
【図６】
0003703317.tif 000007
【図７】
0003703317.tif 000008
【図８】
0003703317.tif 000009
【図９】
0003703317.tif 000010
【図１０】
0003703317.tif 000011
【図１１】
0003703317.tif 000012
【図１２】
0003703317.tif 000013
【図１３】
0003703317.tif 000014
【図１４】
0003703317.tif 000015
【図１５】
0003703317.tif 000016
【図１６】
0003703317.tif 000017
【図１７】
0003703317.tif 000018
【図１８】
0003703317.tif 000019
【図１９】
0003703317.tif 000020
【図２０】
0003703317.tif 000021